(57)【要約】【課題】薬剤容器の切断された開封用操作部を保持することができる医療用容器の開封用操作部保持具に関する。【解決手段】医療用容器６０の開封用操作部保持具１は、内部に薬剤が収納された薬剤収納部７１と開封用操作部７３とその両者間に設けられた破断可能部７２とを有する薬剤容器７０を開封用操作部７３が内部に侵入した状態にて備える医療用容器６０に用いられる。開封用操作部保持具１は、破断後の開封用操作部７３を医療用容器６０の外方より保持する操作部保持部４と、開封用操作部保持具１を医療用容器６０に取り付けるための取付部とを備えている。【選択図】  図１０
2004188040.tif 000002
【特許請求の範囲】
【請求項１】
内部に薬剤が収納された薬剤収納部と開封用操作部とその両者間に設けられた破断可能部とを有する薬剤容器を前記開封用操作部が内部に侵入した状態にて備える医療用容器に用いられる医療用容器の開封用操作部保持具であって、該開封用操作部保持具は、破断後の前記開封用操作部を前記医療用容器の外方より保持する操作部保持部と、該開封用操作部保持具を前記医療用容器に取り付けるための取付部とを備えていることを特徴とする医療用容器の開封用操作部保持具。
【請求項２】
前記開封用操作部保持具は、前記開封用操作部を破断前より保持可能であるとともに、該開封用操作部を保持し、かつ前記医療用容器に取り付けられた状態にて、該開封用操作部を破断可能なものである請求項１に記載の医療用容器の開封用操作部保持具。
【請求項３】
前記開封用操作部保持具は、前記薬剤容器の前記薬剤収納部を挿通させるための挿通部を備えている請求項１または２に記載の医療用容器の開封用操作部保持具。
【請求項４】
前記開封用操作部保持具の前記操作部保持部は、前記開封用操作部を前記医療用容器の外方より保持するための保持空間を備えており、該保持空間の一端部を形成する部分の該操作部保持具は開封用操作部の流出を規制する形状となっており、かつ該保持空間の他端側を形成する部分の操作部保持具は、前記薬剤収納部からの薬剤の流出を阻害しない形状となっている請求項１ないし３のいずれかに記載の医療用容器の開封用操作部保持具。
【請求項５】
前記保持空間の他端側の側面部分を形成する部分の操作部保持具は、前記薬剤収納部からの薬剤の流出のための保持空間が連続して設けられた空間部となっている請求項４に記載の医療用容器の開封用操作部保持具。
【請求項６】
前記開封用操作部保持具は、ヒンジ部により折り曲げ可能に形成された本体部と、一端側に形成され、前記本体部を折り曲げた状態にて向かい合う操作部保持部を備えている請求項１ないし５のいずれかに記載の医療用容器の開封用操作部保持具。
【請求項７】
前記開封用操作部保持具は、前記本体部を前記ヒンジ部にて折り曲げ、該開封用操作部保持具を前記医療用容器に取り付けた状態にて係合し折り曲げ状態を維持する係合部を有している請求項６に記載の医療用容器の開封用操作部保持具。
【請求項８】
前記係合部は、前記医療用容器に形成された孔に挿入可能な突起部と、該突起部と係合する凹部により構成されている請求項７に記載の医療用容器の開封用操作部保持具。
【請求項９】
前記開封用操作部保持具は、向かい合う操作部保持部に挟持力を付与するクリップ機構を有している請求項１ないし５のいずれかに記載の医療用容器の開封用操作部保持具。
【請求項１０】
前記開封用操作部保持具は、前記開封用操作部を保持しかつ前記医療用容器に取り付けた状態にて、若干移動可能である請求項１ないし９のいずれかに記載の医療用容器の開封用操作部保持具。
【発明の詳細な説明】
【０００１】
【発明の属する技術分野】
薬剤容器を有する医療用容器に取り付け可能であり、薬剤容器の開封用操作部を保持する医療用容器の開封用操作部保持具に関するものである。
【０００２】
【従来の技術】
患者に輸液を行うに先だって、輸液剤の入ったバイアル瓶や軟質バッグ等に、予め輸液剤に配合することが困難な薬剤、例えば、ビタミン剤、抗生物質等の薬剤を混合、溶解させ、薬液を調製することが行われている。そして、このような薬液の調製を無菌的に、また、簡単な操作で行うため、薬液が収納された軟質バッグに薬液と混合する薬剤を収納した薬剤容器を取り付け、輸液の際、薬剤容器に設けられた開封用操作部を軟質バッグごしに折り曲げ切断することにより薬剤容器と軟質バッグを連通させ薬剤と薬液とを混合するようにした輸液用容器が提案されている。
このようなタイプの輸液用容器は、切断された開封用操作部が容器内に浮遊するため、輸液用容器から薬液を排出する際に妨げになることがあり、また、開封用操作部により医療用容器内面が傷つくおそれがある。
なお、本件出願人は、上記の問題点を解決する公知技術を現時点において取得していない。
【０００３】
【発明が解決しようとする課題】
このため、本発明の目的は、上記問題点を解決するものであり、薬剤容器の切断された開封用操作部保持部を保持する医療用容器の開封用操作部保持具を提供することにある。
【０００４】
【課題を解決するための手段】
上記目的を達成するものは、以下のものである。
（１）  内部に薬剤が収納された薬剤収納部と開封用操作部とその両者間に設けられた破断可能部とを有する薬剤容器を前記開封用操作部が内部に侵入した状態にて備える医療用容器に用いられる医療用容器の開封用操作部保持具であって、該開封用操作部保持具は、破断後の前記開封用操作部を前記医療用容器の外方より保持する操作部保持部と、該開封用操作部保持具を前記医療用容器に取り付けるための取付部とを備えている医療用容器の開封用操作部保持具。
（２）  前記開封用操作部保持具は、前記開封用操作部を破断前より保持可能であるとともに、該開封用操作部を保持し、かつ前記医療用容器に取り付けられた状態にて、該開封用操作部を破断可能なものである上記（１）に記載の医療用容器の開封用操作部保持具。
（３）  前記開封用操作部保持具は、前記薬剤容器の前記薬剤収納部を挿通させるための挿通部を備えている上記（１）または（２）に記載の医療用容器の開封用操作部保持具。
（４）  前記開封用操作部保持具の前記操作部保持部は、前記開封用操作部を前記医療用容器の外方より保持するための保持空間を備えており、該保持空間の一端部を形成する部分の該操作部保持具は開封用操作部の流出を規制する形状となっており、かつ該保持空間の他端側を形成する部分の操作部保持具は、前記薬剤収納部からの薬剤の流出を阻害しない形状となっている上記（１）ないし（３）のいずれかに記載の医療用容器の開封用操作部保持具。
（５）  前記保持空間の他端側の側面部分を形成する部分の操作部保持具は、前記薬剤収納部からの薬剤の流出のための保持空間が連続して設けられた空間部となっている上記（４）に記載の医療用容器の開封用操作部保持具。
【０００５】
（６）  前記開封用操作部保持具は、ヒンジ部により折り曲げ可能に形成された本体部と、一端側に形成され、前記本体部を折り曲げた状態にて向かい合う操作部保持部を備えている上記（１）ないし（５）のいずれかに記載の医療用容器の開封用操作部保持具。
（７）  前記開封用操作部保持具は、前記本体部を前記ヒンジ部にて折り曲げ、該開封用操作部保持具を前記医療用容器に取り付けた状態にて係合し折り曲げ状態を維持する係合部を有している上記（６）に記載の医療用容器の開封用操作部保持具。
（８）  前記係合部は、前記医療用容器に形成された孔に挿入可能な突起部と、該突起部と係合する凹部により構成されている上記（７）に記載の医療用容器の開封用操作部保持具。
（９）  前記開封用操作部保持具は、向かい合う操作部保持部に挟持力を付与するクリップ機構を有している上記（１）ないし（５）のいずれかに記載の医療用容器の開封用操作部保持具。
（１０）  前記開封用操作部保持具は、前記開封用操作部を保持しかつ前記医療用容器に取り付けた状態にて、若干移動可能である上記（１）ないし（９）のいずれかに記載の医療用容器の開封用操作部保持具。
【０００６】
【発明の実施の形態】
以下、開封用操作部保持具について添付図面を参照して説明する。
図１は、本発明の実施例である医療用容器の開封用操作部保持具の正面図、図２は、図１に示す開封用操作部保持具の背面図、図３は、図１に示す開封用操作部保持具の底面図、図４は、図１に示す開封用操作部保持具の平面図、図５は、図１に示す開封用操作部保持具の内面図、図６は、図５に示す開封用操作部保持具の背面図、図７は、図５に示す開封用操作部保持具の側面図、図８は、図５に示す開封用操作部保持具の平面図である。
本発明の医療用容器の開封用操作部保持具１は、内部に薬剤が収納された薬剤収納部７１と開封用操作部７３とその両者間に設けられた破断可能部７２とを有する薬剤容器７０を開封用操作部７３が内部に侵入した状態にて備える医療用容器６０に用いられる医療用容器の開封用操作部保持具１であって、開封用操作部保持具１は、破断後の開封用操作部７３を医療用容器６０の外方より保持する操作部保持部４と、開封用操作部保持具１を医療用容器に取り付けるための取付部とを備えている。
【０００７】
本発明の医療用容器の開封用操作部保持具１は、開封用操作部移動規制具１と言い換えることもできる。そして、操作部保持部４は、操作部移動規制部４と言い換えることもできる。また、本明細書における保持は、移動規制と言い換えることができる。
また、上記開封用操作部保持具１は、開封用操作部７３を破断前より保持可能であるとともに、開封用操作部７３を保持し、かつ医療用容器６０に取り付けられた状態にて、開封用操作部７３を破断可能なものである。
開封用操作部保持具１は、図１に示すように、ヒンジ部７により折り曲げ可能に形成された本体部２ａ，２ｂと、先端側に形成され、本体部２ａ，２ｂを折り曲げた状態にて向かい合う操作部保持部４ａ，４ｂを備えている。
【０００８】
本発明の実施例の開封用操作部保持具１は、図１，図２，図５，図６に示すように、第１の本体部２ａと、第１の本体部２ａの先端部に形成された操作部保持部４ａと、第２の本体部２ｂと、第２の本体部２ｂの先端部に形成された操作部保持部４ｂを備えている。そして、第１の本体部２ａと第２の本体部２ｂは、基端部に両者を連結するヒンジ部７を有している。また、第１の本体部２ａと第２の本体部２ｂは、係合部５ａ，５ｂを有している。
第１の本体部２ａは、図１、図５に示すように、縦に短いＵ字形状もしくは略Ｖ字形状の平板部として形成されている。また、第１の本体部２ａは、下側に向かって幅が狭くなっている。第２の本体部２ｂは、第１の本体部２ａと同様に、縦に短いＵ字形状もしくは略Ｖ字形状の平板部として形成されている。また、第２の本体部２ｂは、下側に向かって幅が狭くなっている。また、第１の本体部２ａと第２の本体部２ｂの内面の面縁は面取りされていることが好ましい。これにより、医療用容器６０に開封用操作部保持具１を取り付けるときに容器に傷が付きにくくなる。第１の本体部２ａと第２の本体部２ｂは、両側辺の上端同士がヒンジ部７によって連結されている。また、図９，図１０に示すように、開封用操作部保持具１は、薬剤容器７０の薬剤収納部７１を挿通させるための挿通部８を備えている。具体的には、挿通部８は、本体部２ａと本体部２ｂ及びヒンジ部７の内縁により形成されている開口である。このような構成により、薬剤容器７０の薬剤収納部７１は、第１の本体部２ａと第２の本体部２ｂの間に固定されないため、開封用操作部保持具１を医療用容器６０に取り付けた状態で、開封用操作部７３を薬剤収納部７１に対して折り曲げて切断することができる。なお、第１の本体部２ａと第２の本体部２ｂは、平板部でなくて、外面側が外側に向かって湾曲した形状であってもよい。
【０００９】
また、開封用操作部保持具１は、図５，図７，図８に示すように、取付部を備えている。この実施例の開封用操作部保持具１では、本体部２ａ，２ｂとを折り曲げ自在に連結するヒンジ部７と、開封用操作部保持具１を医療用容器６０に取り付けた状態にて係合し折り曲げ状態を維持する係合部５ａ，５ｂにより取付部が構成されている。なお、係合部のみにより取付部を構成してもよい。
係合部５ａ，５ｂは、第１の本体部２ａと第２の本体部２ｂに設けられ医療用容器６０に形成された孔に挿入可能な突起部５ａと、突起部５ａと係合する凹部５ｂにより構成されている。また、この係合部５ａ，５ｂは、医療用容器６０に開封用操作部保持具１を取り付けるためにも使用される。
突起部５ａは、第１の本体部２ａの内面において、平板部２ａの両側辺に一つずつ設けられている。また、突起部５ａは、係合部５ｄを有している。具体的に、突起部５ａは、第１の本体部２ａに対してほぼ直交するように設けられている。突起部５ａは、本体部２ａに対してほぼ直交する平板部５ｃと、平板部５ｃの先端に設けられ、基端側が肉厚で先端に向かって肉薄となる係合部５ｄとを有する。また、本体部２ａの突起部５ａより下方には、突起部５ａが本体部２ｂの上側にしなりやすくするための開口部５ｆが形成されている。
【００１０】
また、この突起部５ａは、第２の本体部２ｂの開口部５ｂに進入し係合する。
開口部５ｂは、ヒンジ部７を介して本体部２を折り曲げたとき、突起部５ａが進入可能に平板部２ｂの両側辺に一つずつ設けられている。また、開口部５ｂは、図７に示すように、開口部５ｂの下端側で本体部２ｂの表面側にリブ５ｅを有している。このような構成により、本体部２をヒンジ部７を介して内面側に折り畳むと突起部５ａは、開口部５ｂ内に進入し、突起部５ａの係合部５ｄが開口部５ｂのリブ５ｅと係合する。この状態において、突起部５ａは、図３，図４に示すように、第２の本体部２ｂの表面から突出する。また、突起部５ａと開口部５ｂは、突起部５ａが開口部５ｂ内を進入するとき係合部５ｄがリブ５ｅに接触して上端側にしなりながら進入し、係合部５ｄがリブ５ｅを越えたときしなりが戻り確実に係合するように形成されている。これにより、突起部５ａと開口部５ｂは確実に係合する。
【００１１】
本発明の実施例においては、係合部５ａは、図９，図１０に示すように、医療用容器６０のシール部６１に形成され薬剤容器７０を固定するために使用された開孔６３に挿入され、係合部５ｂと係合する。これにより、開封用操作部保持具１は、医療用容器６０に取り付けられる。そして、この実施例の開封用操作部保持具１では、取り付けられた状態において、医療用容器６０を挟持する。
また、開封用操作部保持具１の操作部保持部４は、開封用操作部７３を医療用容器６０の外方より保持するための保持空間６を備えている。保持空間６の一端部を形成する部分の操作部保持具１は開封用操作部７３の流出を規制する形状となっており、かつ保持空間６の他端側を形成する部分の操作部保持具１は、薬剤収納部７１からの薬剤の流出を阻害しない形状となっている。
【００１２】
操作部保持部４は、第１の本体部２ａに設けられた保持部形成部４ａと本体部２ｂの保持部形成部４ｂが医療用容器６０を介して向かい合うことにより構成されている。
保持部形成部４ａは、第１の本体部２ａの中央部に設けられている。形成部４ａは、図５，図６に示すように、半筒状に形成されるとともに、一端（本体部２ａの下端側）の内面には、開封用操作部７３の流出を規制するためのリブ４ｃを有している。また、形成部４ａの内面は、開封用操作部７３を保持するために凹部となっている。
【００１３】
保持部形成部４ｂは、図５，図６に示すように、上述した形成部４ａと同様なものとなっている。形成部４ｂは、半筒状に形成されるとともに、一端（本体部２ｂの下端側）の内面には、開封用操作部７３の流出を規制するためのリブ４ｄを有している。また、形成部４ｂの内面は、開封用操作部７３を保持するために凹部となっている。
このような構成により、開封用操作部保持具１を医療用容器６０に取り付けたとき、形成部４ａのリブ４ｃと形成部４ｂのリブ４ｄが近接し、それらにより、開口部４ｃと開口部４ｄのみ薬液を収納した医療用容器６０を他の部分より強く挟持する。形成部４ａ，４ｂのリブ４ｃ，４ｄ以外の部分は、医療用容器６０をこのような形で挟持しないため、形成部４の側面部分からの薬液流出を阻害しないものとなっている。
【００１４】
以上のような構成により、第１の本体部２ａと第２の本体部２ｂをヒンジ部７を介して折り曲げると、第１の本体部２ａと第２の本体部２ｂの間に、操作部保持部７３を収納するための保持空間６が形成される。保持空間６は、一端部が切断された操作部７３が流出しないようにほぼ閉鎖されており、他端側は開口している。なお、形成部４ａと形成部４ｂの一端部は、切断された操作部７３が一端側に流出しないような形状であれば、いかなる形状であってもよい。例えば、形成部４ａ，４ｂの一端部は、すだれ状、網状、メッシュ状に形成されていてもよく、また、操作部７３が一端部から流出しない程度の大きさに開口していてもよい。
【００１５】
また、形成部４ａ，４ｂの軸方向の長さは、開封用操作部保持具１を医療用容器６０に取り付けたとき（開孔６３を介して取り付けたとき）、開封用操作部７３の先端と、形成部４ａ，４ｂの一端部内壁の間がある程度あくように決めることが好ましい。具体的に、開封用操作部７３の先端と、形成部４ａ，４ｂの一端内壁の距離が、２〜１５ｍｍ、特に、５〜１０ｍｍであることが好ましい。また、形成部４ａ，４ｂの長さは、２ｍｍ以上、特に、５〜２０ｍｍであることが好ましい。あまり長すぎると、形成部４ａ，４ｂが医療用容器を大きく押さえ、医療用容器内の予備容量が少なくなってしまうからである。これにより、切断された開封用操作部７３は、形成部４ａ，４ｂの一端部に移動可能となるため、薬剤収納部７１からの薬液排出を妨げることがない。また、形成部４ａ，４ｂの他端（開口端）は、薬剤容器７０の破断可能部７２より先端側となるように形成されていることが好ましい。具体的に、形成部４ａ，４ｂの他端は、破断可能部７２から２〜２０ｍｍ、特に、５〜１２ｍｍ先端側に形成されていることが好ましい。これにより、医療用容器６０に開封用操作部保持具１を取り付けた状態で、開封用操作部７３を折り曲げ切断することができる。
【００１６】
また、本発明の実施例では、操作部保持部４の保持空間６は、開封用操作部７３の外径より大きく作製されているが、これに限られるものではなく、第１の本体部２ａと第２の本体部２ｂの間に開封用操作部７２を挟み固定するものであってもよい。
ヒンジ部７は、第１の本体部２ａ両側辺の上端と第２の本体部２ｂの両側辺の上端同士を連結するように左右一つずつ設けられている。具体的に、ヒンジ部７は、第１の本体部２ａ上端部の内面と、第２の本体部２ｂの上端部の内面を連続するように第１の本体部２ａと第２の本体部２ｂと一体に薄板部として形成されている。薄板部は、中心に折り曲げ可能な薄肉部を有している。また、ヒンジ部としては、第１の本体部２ａと第２の本体部２ｂの上端部を連結するように形成されたＵ字形状のヒンジ部であってもよい。
開封用操作部保持具１の構成材料は、ポリプロピレン、ポリスチレン、ポリエチレン、塩化ビニル等の合成樹脂であることが好ましい。
【００１７】
また、開封用操作部保持具１は、開封用操作部７３を保持しかつ医療用容器７３に取り付けた状態にて、若干移動可能であることが好ましい。本発明の実施例においては、係合部５ａの外径は、医療用容器６０の開孔６３の内径より小さく作製され、かつ本体部２および保持部４は、医療用容器６０を完全に挟持していないことが好ましい。このようにすることにより、保持具１を医療用容器６０に取り付けた状態で、保持具１を医療用容器６０に対して若干動かすことができる。このため、開封用保持具１を医療用容器６０に装着した状態で、薬剤容器７０の開封用操作部７３を容易に折り曲げ切断することが可能となる。また、切断後、保持具１を動かすことにより保持部４に流入した薬液を容易に外に流出させることができる。
【００１８】
次に、本発明の実施例である開封用操作部保持具１の使用方法について説明する。
まず、図９に示すように、医療用容器６０の裏側から係合部５ａを開孔６３に挿入し、図１０に示すように、第１の本体部２ａと第２の本体部２ｂを折り曲げて係合部５ａと係合部５ｂを係合させる。これにより、保持部形成部４ａと保持部形成部４ｂにより外方から医療用容器６０内の開封用操作部７３が保持されるとともに、開封用操作部保持具１が医療用容器６０に取り付けられる。そして、医療用容器６０を横にした状態で、一方の手で薬剤収納部７１を担持して、もう一方の手で開封用操作部保持具１ごと開封用操作部７３を担持して、開封用操作部７３を薬剤容器７０の薬剤収納部７１に対して折り曲げて開封用操作部７３を切断する。切断された開封用操作部７３は、図１１に示すように保持部４内に保持される。なお、開封用操作部保持具１を取り付ける医療用容器としては、本発明の実施例のように複室タイプのものでなく、単室タイプのものであってもよい。
【００１９】
次に、本発明の他の実施例である開封用操作部保持具について説明する。
図１２は、本発明の他の実施例である医療用容器の開封用操作部保持具の平面図、図１３は、図１２に示す開封用操作部保持具の内面図である。開封用操作部保持具の正面図、背面図、底面図、開封用操作部保持具の内面図の背面図、内面図の平面図については、それぞれ図１，図２，図３，図６，図８を参照する。
この実施例の開封用操作部保持具１０は、上述した封用操作部保持具１と基本構成は同じであり、開封用操作部保持部１４の構成のみが異なっている。以下、開封用操作部保持具１０について相違点を中心に説明する。
開封用操作部保持具１０は、図１，図２，図１２，図１３に示すように、第１の本体部１２ａと、第２の本体部１２ｂと、保持部１４ａ，１４ｂと、係合部１５ａ，１５ｂと、ヒンジ部１７からなる。保持部１４を除く第１の本体部１２ａと第２の本体部１２ｂと、ヒンジ部１７と、係合部１５ａ，１５ｂの構成は、上述した第１の本体部２ａ、第２の本体部２ｂ、ヒンジ部７、係合部５ａ，５ｂと同じであるため説明を省略する。
【００２０】
保持部１４と、保持部４の相違点は、保持空間１６の他端側（開口側）の側面部分を形成する部分の操作部保持具１０は、薬剤収納部７１からの薬剤の流出のための保持空間が連続して設けられた空間部１８となっている点である。
操作部保持部１４は、第１の本体部１２ａに設けられた保持部形成部１４ａと本体部１２ｂの保持部形成部１４ｂが医療用容器６０を介して向かい合うことにより構成されている。
保持部形成部１４ａは、他端側の側面部分を薄肉部１８ａとすることにより空間部１８を構成している。形成部１４ａは、形成部１４ａの一端部を除く部分の肉厚が他端に向かってより薄く薄肉化している。言い換えると、形成部１４ａの他端側は、形成部１４ａの一端部を除く部分の内径が他端に向かって拡径している。具体的に、形成部１４ａは、形成部４ａの開口部付近を大きく面取りしたような形状に形成されている。このような構成により、薬剤収納部７１からの薬剤の流出をより容易なものとする。また、形成部１４ａ内に薬液が流入しても容易に形成部１４ａの外に薬剤が流出するものとなる。
【００２１】
また、保持部形成部１４ｂは、形成部１４ａと同じ形状をしている。具体的に、形成部１４ｂは、他端側の側面部分を薄肉部１８ｂとすることにより空間部１８を構成している。形成部１４ｂは、形成部１４ｂの一端部を除く部分の肉厚が他端に向かってより薄く薄肉化している。言い換えると、形成部１４ｂの他端側は、形成部１４ｂの一端部を除く部分の内径が他端に向かって拡径している。具体的に、形成部１４ｂは、形成部４ｂの開口部付近を大きく面取りしたような形状に形成されている。このような構成により、薬剤収納部７１からの薬剤の流出をより容易なものとする。また、形成部１４ｂ内に薬液が流入しても容易に形成部１４ｂの外に薬剤が流出するものとなる。
また、形成部１４ａの軸方向の長さ、形成部１４ａの他端と開封用操作部７３の先端との距離、形成部１４ａの他端と破断可能部７２との距離は、形成部４ａと同様であることが好ましい。
また、開封用操作部保持具１０の使用方法については開封用操作部保持具１とほぼ同じであるため説明を省略する。
【００２２】
次に、本発明の他の実施例である開封用操作部保持具２０について説明する。
図１４は、本発明の他の実施例である開封用操作部保持具の正面図、図１５は、図１４に示す開封用操作部保持具の背面図、図１６は、図１４に示す開封用操作部保持具の内面図である。
この実施例の開封用操作部保持具２０は、開封用操作部保持具１の操作部保持部４より左側部分を有さない構造をしている。
開封用操作部保持具２０は、図１４，図１５，図１６に示すように、第１の本体部２２ａと、第２の本体部２２ｂと、保持部２４ａ，２４ｂと、係合部２５ａ，２５ｂと、ヒンジ部２７からなる。保持部２４ａ，２４ｂと、係合部２５ａ，２５ｂと、ヒンジ部２７は、それぞれ開封用操作部保持具１の保持部４ａ，４ｂと、係合部５ａ，５ｂと、ヒンジ部７と同じであるため説明を省略する。
【００２３】
第１の本体部２２ａは、図１４，図１６に示すように、縦に短い半Ｕ字形状もしくは略半Ｖ字形状の平板部として形成されている。第１の本体部２２ａは、半Ｕ字形状の平板部２２ａの下部が幅が狭くなっている。第２の本体部２２ｂは、半Ｕ字形状もしくは略半Ｖ字形状の平板部として形成されている。平板部２２ｂの下部は、図１５，図１６に示すように、下端に向かって幅が狭くなっている。また、第１の本体部２２ａと第２の本体部２２ｂの内面の面縁は面取りされていることが好ましい。
第１の本体部２２ａと第２の本体部２２ｂは、平板部２２ａと平板部２２ｂの上端同士がヒンジ部２７によって連結されている。
第１の本体部２２ａと第２の本体部２２ｂは、開封用操作部保持具１，１０と異なり、一組の係合部２５ａ，２５ｂのみ有している。このような構成であっても、開封用操作部保持具１，１０と同様に医療用容器６０を挟持するとともに医療用容器６０に確実に取り付けられる。
なお、開封用操作部保持具２０の保持部２４の代わりに開封用操作部保持具１０の保持部１４を有していてもよい。
本発明のストッパー固定具２０の使用方法は、上述した開封用操作部保持具１，１０とほぼ同じであるため、説明を省略する。
【００２４】
次に、本発明の他の実施例である開封用操作部保持具３０について説明する。
図１７は、本発明の他の実施例である医療用容器の開封用操作部保持具の正面図、図１８は、図１７に示す開封用操作部保持具の側面図である。
この実施例の開封用操作部保持具３０と開封用操作部保持具１の相違点は、開封用操作部保持具３０は、開封用操作部保持具２０を医療用容器６０に取り付けた状態にて係合し折り曲げ状態を維持する係合部を有しておらず、向かい合う操作部保持部３４ａ，３４ｂに挟持力を付与するクリップ機構３５を有している点である。
開封用操作部保持具３０は、図１７に示すように、第１の本体部３２ａと、第２の本体部３２ｂと、保持部３４ａ，３４ｂと、クリップ機構３５と、ヒンジ部３７を有している。保持部３４ａ，３４ｂとヒンジ部３７は、それぞれ開封用操作部保持具１の保持部４ａ，４ｂと、ヒンジ部７と同じであるため、説明を省略する。なお、この開封用操作部保持具３０においては、ヒンジ部３７はなくてよい。
【００２５】
クリップ機構３５は、係合部３６ａ，３６ｂと、挟持部材３９と、クリップ担持部４０ａ，４０ｂを備えている。
係合部３６ａ、３６ｂは、第１の本体部３２ａと第２の本体部３２ｂの両側辺に形成された開口部である。係合部としては、開口部に限られず、第１の本体部３２ａ、第２の本体部３２ｂの表面に形成された凹部であってもよい。係合部３６ａ，３６ｂは、挟持部材３９の端部に形成された係合部４２ａ，４２ｂと係合する。
挟持部材３９は、係合部４２ａと係合部４２ｂが接触する方向に挟持力を付与するリング状もしくはＵ字状部材である。挟持部材３９の端部に形成された係合部４２ａ，４２ｂは、内側に湾曲するように形成されている。このような構成により、挟持部材３９は、第１の本体部４２ａと第２の本体部４２ｂを挟持した状態で、係合部４２ａと係合部３６ａ、係合部４２ｂと係合部３６ｂが係合する。
クリップ担持部４０ａは、図１７，図１８に示すように、第１の本体部４２ａの上端部に左右一つずつ本体部４２ａの表面側に傾斜するように設けられている平板部である。クリップ担持部４０ａの下部には、挟持部材３９が通過するための通過孔４１ａが形成されている。同様に、クリップ担持部４０ｂは、第２の本体部３２ｂの上端部に左右一つずつ本体部４２ｂの表面側に傾斜するように設けられている平板部である。クリップ担持部４０ｂの下部には、挟持部材３９が通過するための通過孔４１ｂが形成されている。また、クリップ担持部４０ａ，４０ｂの表面には、担持用リブ４０ｃ，４０ｄが形成されている。
また、開封用操作部保持具３０は、挟持力を付与された第１の本体部３２ａと第２の本体部３２ｂが開封用操作部保持具３０を医療用容器６０に取り付けるための取付部となっている。
【００２６】
次に、本発明の開封用操作部保持具３０の使用方法について説明する。
まず、開封用操作部保持具３０をクリップ担持部４０ａ，４０ｂをつまみ、接触している保持部３４ａと保持部３４ｂ、第１の本体部３２ａと第２の本体部３２ｂを開く。そして、保持部３４ａ，３４ｂ、本体部３２ａ，３２ｂの間に、薬剤容器７０の薬剤収納部７１を通過させ、薬剤収納部７１を第１の本体部３２ａと第２の本体部３２ｂの間に配置し、開封用操作部７３を保持部３４ａと保持部３４ｂの間に配置して、クリップを戻す。これにより、開封用操作部保持具３０が医療用容器６０を挟持するとともに医療用容器６０に確実に取り付けられる。そして、医療用容器６０を横にした状態で、一方の手で薬剤収納部７１を担持して、もう一方の手で開封用操作部保持具３０ごと開封用操作部７３を担持して、開封用操作部７３を薬剤容器７０の薬剤収納部７１に対して折り曲げて開封用操作部７３を切断する。切断された開封用操作部７３は、保持部３４内に保持される。
【００２７】
次に、本発明の他の実施例である開封用操作部保持具について説明する。
図１９は、本発明の他の実施例である医療用容器の開封用操作部保持具の斜視図、図２０は、図１９に示す開封用操作部保持具の正面図である。
開封用操作部保持具５０は、全体がクリップ構造となっており、医療用容器６０を挟持して医療用容器６０に取り付けられるタイプの保持具である。以下、上面部５３側を上、保持部５４側を下として説明する。
開封用操作部保持具５０は、図１９に示すように、クリップ構造の本体部５１と、本体部５１に設けられた保持部５４ａ，５４ｂからなる。開封用操作部保持具５０は、第１の本体部５２ａと、第１の本体部５２ａとともに医療用容器を挟持する第２の本体部５２ｂを備えている。
開封用操作部保持具５０は、下端部同士が接触しそれぞれ外側に傾斜する第１の本体部５２ａと第２の本体部５２ｂと、第１の本体部５２ａと第２の本体部５２ｂの上端と連続する上面部５３と、第１の本体部５２ａと第２の本体部５２ｂに取り付けられたクリップ担持部５５ａ，５５ｂを有する本体部５１と、第１の本体部５２ａと第２の本体部５２ｂの下端部の中央に設けられた保持部５４ａ，５４ｂとを備えている。
【００２８】
本体部５１は、第１の本体部５２ａと、第２の本体部５２ｂと、上面部５３とにより一体的に形成されており、第１の本体部５２ａと第２の本体部５２ｂの正面から見ると、下部が平坦なＶ字形状となっている。本体部５１は、横から見ると、第１の本体部５２ａと第２の本体部５２ｂと上面部５３により略三角形が形成されている。本体部５１は、第１の本体部５２ａと第２の本体部５２ｂに挟持力を付与するクリップとなっている。
第１の本体部５２ａは、下端部が水平のＶ字形状の平板部である。また、下端部の両側部には、クリップ担持部５５ａを取り付けるための取付部５６ａが形成されている。第２の本体部５２ｂも、下端部が平坦なＶ字形状の平板部であり、下端部の両側部には、クリップ担持部５５ａを取り付けるための取付部５６ａが形成されている。Ｖ字形状の間の空間は、開封用操作部保持具５０を医療用容器６０に取り付けたとき、薬剤容器７０の薬剤収納部７１が配置される部分となっている。また、下端部には、クリップ担持部５５ｂを取り付けるための取付部５６ｂが形成されている。取付部５６ａ，５６ｂは、第１の本体部５２ａと第２の本体部５２ｂの下端部を上端側に筒状に巻いて形成されている。ここにクリップ担持部５５ａ，５５ｂの一端部が取り付けられている。また、第１の本体部５２ａと第２の本体部５２ｂの下端部には、後述する保持部５４ａ，５４ｂが設けられている。
【００２９】
上面部５３は、第１の本体部５２ａのＶ字形状の左右の上端と第２の本体部５２ｂの左右の上端とを連続する平板部５３ａ，５３ｂである。平板部５３ａ，５３ｂは、三角形の内側に湾曲するように形成されている。また、第１の本体部５２ａと第２の本体部５２ｂとの連結している部分は丸みを帯びて形成されている。
担持部５５ａ，５５ｂは、線状体により形成され、上辺（一端部）が開口した台形状に形成されている。担持部５５ａ，５５ｂの一端部は、外側に向いており、第１の本体部５２ａと第２の本体部５２ｂの下端部に設けられた取付部５６ａ，５６ｂに取り付けられている。取付部５６ａ，５６ｂは、使用時においては、それぞれ第１の本体部５２ａと第２の本体部５２ｂの表面側に接触しており、取付部５６ａと取付部５６ｂの他端部は、上面部５３ａと上面部５３ｂを越えて突出している。また、担持部５５ａ，５５ｂは、図２０に示すように、本体部５１の下端部側に倒すことができるものとなっている。本体部５１を下端部に倒すと、医療用容器６０に遮光カバーをかぶせる際に担持部５５ａ，５５ｂが邪魔にならない。
【００３０】
また、保持部５４は、上述した保持部４，保持部１４と同様の形状に作製することが好ましい。保持部５４は、保持部形成部５４ａと保持部形成部５４ｂにより構成されている。保持部形成部５４ａは、第１の本体部５４ａの中央部に設けられ、保持部形成部５４ｂは、第２の本体部５４ｂの中央部に設けられている。そして、使用前においては、保持部形成部５４ａと保持部形成部５４ｂは、第１の本体部５２ａと第２の本体部５２ｂの挟持力により重ね合わせられている。
また、開封用操作部保持具５０においては、挟持力を付与された第１の本体部５２ａと第２の本体部５２ｂが開封用操作部保持具５０を医療用容器６０に取り付けるための取付部となっている。
【００３１】
次に、開封用操作部保持具５０の使用方法について説明する。
まず、開封用操作部保持具５０の担持部５５ａ，５５ｂが近づくように、担持部５５ａ，５５ｂをつまみ、接触している本体部５３ａ，５３ｂ、保持部５４ａ，５４ｂを開く。そして、開いた隙間から、薬剤容器７０の薬剤収納部７１を挿入し、薬剤収納部７１を本体部５１のＶ字形状の間に配置し、開封用操作部７３を保持部５４ａ，５４ｂの間に配置し、クリップを戻す。そして、担持部５５ａ、５５ｂを、図２０に示すように下方に倒す。これにより、開封用操作部保持具５０が医療用容器６０を挟持するとともに医療用容器６０に取り付けられる。そして、医療用容器６０を横にした状態で、一方の手で薬剤収納部７１を担持して、もう一方の手で開封用操作部保持具５０ごと開封用操作部７３を担持して、開封用操作部７３を薬剤容器７０の薬剤収納部７１に対して折り曲げて開封用操作部７３を切断する。切断された開封用操作部７３は、保持部５４内に保持される。
また、開封用操作部保持具としては、上述したものの他、第１の本体部と第２の本体部を有し、第１の本体部と第２の本体部がコイル状バネにより医療用容器を挟持可能としたものであってもよい。
【００３２】
次に、本発明の他の実施例である開封用操作部保持具８０について説明する。
図２１は、本発明の他の実施例である医療用容器の開封用操作部保持具の内面図、図２２は、図２１に示す開封用操作部保持具を係合部により係合させた状態の平面図であり、図２３は、図２１に示す開封用操作部保持具の側面図であり、図２４は、図２１に示す開封用操作部保持具の底面図である。
開封用操作部保持具８０は、操作部保持具１０と操作部保持部８４及び係合部９５ａ，９５ｂの構成のみ異なっている。
操作部保持部８４は、第１の本体部２ａに設けられた保持部形成部８４ａと本体部２ｂの保持部形成部８４ｂが医療用容器６０を介して向かい合うことにより構成されている。
【００３３】
保持部形成部８４ａは、他端側の側面部分が薄肉部８５ａとなっている。具体的には、開封用操作部保持具８０は、形成部８４ａの一端部を除く部分及び形成部８４ａの周囲の本体部２ａに薄肉部８５ａを有している。本体部２ａに設けられた薄肉部８５ａは、全体がほぼ同じ厚みとなっている。また、薄肉部８５ａは、本体部２ａの両側部（Ｕ字形状の両側辺）の手前まで形成されている。
また、保持部形成部８４ｂは、形成部８４ａと同じ形状をしている。保持部形成部８４ｂは、他端側の側面部分が薄肉部８５ｂとなっている。具体的には、開封用操作部保持具８０は、形成部８４ｂの一端部を除く部分及び形成部８４ｂの周囲の本体部２ｂに薄肉部８５ｂを有している。本体部２ｂに設けられた薄肉部８５ｂは、全体がほぼ同じ厚みとなっている。また、薄肉部８５ｂは、本体部２ｂの両側部（Ｕ字形状の両側辺）の手前まで形成されている。
このような構成によっても、薬剤収納部７１からの薬剤の流出をより容易なものとする。また、形成部８４ａ，８４ｂ内に薬液が流入しても容易に形成部８４ａ，８４ｂの外に薬剤が流出するものとなる。
【００３４】
次に、係合部９５ａ，９５ｂについて説明する。
突起部９５ａは、本体部２ａに対してほぼ直交する平板部９５ｃと、平板部９５ｃの先端部に設けられた係合部９５ｄからなる。係合部９５ｄは、基端側が肉厚で先端に向かって肉薄となっている。また、係合部９５ｄは、正面部分が本体部２ａの下端側に向かって湾曲する湾曲面となっている。湾曲面の両側部には、縦に延びるリブ９５ｇが形成されている。リブ９５ｇは、係合部９５ｄの先端から基端まで形成されている。リブ９５ｇは、係合部９５ａと係合部９５ｂを係合させる際に、開口部９５ｂに形成されたリブ９５ｅと接触する部分となっている。また、係合部９５ｄの両側に形成されたリブ９５ｇの間には、リブ９５ｇとほぼ直交する滑り止め用のリブ９５ｈが複数設けられている。リブ９５ｈは、リブ９５ｇより突出しないように形成されている。また、突起部の下方及び上方には、突起部９５ａを本体部２ａの上側にしなりやすくするための開口部９５ｆ、９５ｉが形成されている。
また、この突起部９５ａは、第２の本体部２ｂの開口部９５ｂに進入し係合する。
【００３５】
開口部９５ｂは、ヒンジ部７を介して本体部２を折り曲げたとき、突起部９５ａが進入可能なように平板部２ｂの両側辺に一つずつ設けられている。また、開口部９５ｂは、図２１，図２４に示すように、開口部９５ｂの下端側に本体部２ｂの表面側に向かって下方に傾斜する斜面状のリブ９５ｅを有している。
以上のような構成により、本体部２をヒンジ部７を介して内面側に折り畳むと突起部９５ａは、開口部９５ｂ内に進入し、突起部９５ａの係合部９５ｄが開口部９５ｂのリブ９５ｅと係合する。進入の際、係合部９５ｄはリブ９５ｇのみリブ９５ｅの斜面と接触するため進入抵抗が少なく容易に係合させることができる。
また、係合した後は、滑り止め用のリブ９５ｈにより突起部９５ａと開口部９５ｂの係合を解除を容易に行うことができる。また、突起部９５ａと開口部９５ｂは、突起部９５ａが開口部９５ｂ内を進入するとき係合部９５ｄがリブ９５ｅに接触して上端側にしなりながら進入し、係合部９５ｄがリブ９５ｅを越えたときしなりが戻り確実に係合するように形成されている。これにより、突起部９５ａと開口部９５ｂは確実に係合する。
なお、上述したすべての実施例の開封用操作部保持具において、係合部の構成は、上述した係合部９５ａ，９５ｂのようにしてもよい。
【００３６】
【発明の効果】
本発明は、内部に薬剤が収納された薬剤収納部と開封用操作部とその両者間に設けられた破断可能部とを有する薬剤容器を前記開封用操作部が内部に侵入した状態にて備える医療用容器に用いられる医療用容器用の開封用操作部保持具であって、該開封用操作部保持具は、破断後の前記開封用操作部を前記医療用容器の外方より保持する操作部保持部と、該開封用操作部保持具を前記医療用容器に取り付けるための取付部とを備えている。
このため、本発明の開封用操作部保持具は、薬剤容器の切断された開封用操作部を保持することができ、保持部から流出することがないので、医療用容器の排出孔からの混合溶液の排出を妨げることがなく、医療用容器の内面を傷つけることがない。
【図面の簡単な説明】
【図１】図１は、本発明の実施例である医療用容器の開封用操作部保持具の正面図である。
【図２】図２は、図１に示す開封用操作部保持具の背面図である。
【図３】図３は、図１に示す開封用操作部保持具の底面図である。
【図４】図４は、図１に示す開封用操作部保持具の平面図である。
【図５】図５は、図１に示す開封用操作部保持具の内面図である。
【図６】図６は、図５に示す開封用操作部保持具の背面図である。
【図７】図７は、図５に示す開封用操作部保持具の側面図である。
【図８】図８は、図５に示す開封用操作部保持具の平面図である。
【図９】図９は、本発明の開封用操作部保持具の使用方法を説明するための説明図である。
【図１０】図１０は、本発明の開封用操作部保持具の使用方法を説明するための説明図である。
【図１１】図１１は、本発明の開封用操作部保持具の使用方法を説明するための説明図である。
【図１２】図１２は、本発明の他の実施例である医療用容器の開封用操作部保持具の平面図である。
【図１３】図１３は、図１２に示す開封用操作部保持具の内面図である。
【図１４】図１４は、本発明の他の実施例である医療用容器の開封用操作部保持具の正面図である。
【図１５】図１５は、図１５に示す開封用操作部保持具の背面図である。
【図１６】図１６は、図１５に示す開封用操作部保持具の内面図である。
【図１７】図１７は、本発明の他の実施例である医療用容器の開封用操作部保持具の正面図である。
【図１８】図１８は、図１７に示す開封用操作部保持具の側面図である。
【図１９】図１９は、本発明の他の実施例である医療用容器の開封用操作部保持具の斜視図である。
【図２０】図２０は、図１９に示す開封用操作部保持具の使用方法を説明するための説明図である。
【図２１】図２１は、本発明の他の実施例である医療用容器の開封用操作部保持具の内面図である。
【図２２】図２２は、図２１に示す開封用操作部保持具を係合部により係合させた状態の平面図である。
【図２３】図２３は、図２１に示す開封用操作部保持具の側面図である。
【図２４】図２４は、図２１に示す開封用操作部保持具の底面図である。
【符号の説明】
１  開封用操作部保持具
４  操作部保持部
６０  医療用容器
７０  薬剤容器
７１  薬剤収納部
７２  破断可能部
７３  開封用操作部
【図１】
2004188040.tif 000003
【図２】
2004188040.tif 000004
【図３】
2004188040.tif 000005
【図４】
2004188040.tif 000006
【図５】
2004188040.tif 000007
【図６】
2004188040.tif 000008
【図７】
2004188040.tif 000009
【図８】
2004188040.tif 000010
【図９】
2004188040.tif 000011
【図１０】
2004188040.tif 000012
【図１１】
2004188040.tif 000013
【図１２】
2004188040.tif 000014
【図１３】
2004188040.tif 000015
【図１４】
2004188040.tif 000016
【図１５】
2004188040.tif 000017
【図１６】
2004188040.tif 000018
【図１７】
2004188040.tif 000019
【図１８】
2004188040.tif 000020
【図１９】
2004188040.tif 000021
【図２０】
2004188040.tif 000022
【図２１】
2004188040.tif 000023
【図２２】
2004188040.tif 000024
【図２３】
2004188040.tif 000025
【図２４】
2004188040.tif 000026